(57)【要約】      （修正有）【課題】ハウリングが完全に起きない補聴器の付属部品であるイヤチップの構造、またイヤチップに耳垢がつかないようにする耳穴型補聴器の耳栓を提供する。【解決手段】ダブルチップ耳栓構造それぞれの機能を果すイヤチップの接合の上にポリエチレンラップを被せる。２個の環状フランジ部１、２を最初からポリエチレンラップで覆う。【選択図】図１
2016082553.tif 000002
【特許請求の範囲】
【請求項１】
ハウリング防止を完全に防止するために、補聴器本体の付属部品である２個のイヤチップの構造を変え、これにポリエチレンラップを被せ、ハウリングを防止した。
【請求項２】
音道口となる第１環状フランジ部のイヤチップと、ハウリング防止をする第２環状フランジ部のイヤチップに、ポリエチレンラップを被せることにより、耳垢防止をした。
【発明の詳細な説明】
【技術分野】
【０００１】  本発明は、耳穴型補聴器に用いる耳栓に関するものである。
【背景技術】
【０００２】  従来の耳穴型補聴器のイヤチップは、補聴器の音孔口先端に連立して繋がった２段式の笠型（これをダブルチップ耳栓と言っている）で、できているものがついていた。このダブルチップ耳栓は、ハウリングといって、補聴器の使用中に発生する要らざる雑音を防止するために装置されていた。この装置構造は、今も一般的なものとして受け継がれてきている。このダブルチップ耳栓は、外耳道と直接接触して、空気すき間を防ぎ、ハウリングを防いでいたのである。しかし、二重に空気すき間を防いでいた装置だったのに拘わらず、ハウリングを防げなかったようである。【０００３】  外耳道の形状が円に近い楕円であったものに、円形のダブルチップ耳栓で対処したことに、少々無理があったようである。後方の大きな笠型の空気すき間を、先端の小さな笠型で、防止していたのだが、そこははっきり円形のイヤチップゆえに、すき間は必ず生ずると思われる。そのようなわけで、ハウリングが起きたと推測されるのである。
【発明の概要】
【０００４】  補聴器の音が年々良くなってきたのに対し、その鍵を握るハウリング対策は遅々として進んでいない。いつもハウリング対策で苦慮しているありさまである。この辺で、ハウリングが起きないイヤチップを考えないといけないと思ってきた。従来製品のダブルチップ耳栓構造のイヤチップでは、ハウリング防止はできない。完全にハウリングが起きないイヤチップを作らねばと思った。
【発明が解決しようとする課題】
【０００５】（１）ハウリングが完全に起きない補聴器の付属部品イヤチップの構造を考えること。
（２）補聴器のイヤチップに耳垢がつかないようにすること。【０００６】  先ず、（１）の項目から詳細に述べる。従来の製品のダブルチップ耳栓のイヤチップは、外耳道と直接に接触するものであったが、当発明品は、２つのイヤチップを、直径４０．５ｍｍの円形に近いポリエチレンラップで、第１環状フランジ部と第２環状フランジ部を補聴器の音孔口からすっぽり覆うことで、外耳道と接触しない方法を採った。２つのイヤチップは、第１環状フランジ部と第２環状フランジ部から成るもので、この２つを接合したもので出来ている。第１環状フランジ部は、音道の働きをし、第２環状フランジ部は音道の働きの外にハウリング防止の働きをする。ポリエチレンラップは、ふだん家庭の台所で使用されているものを使った。そうするとこれら２つの環状フランジ部にポリエチレンラップがまとわりついて、更に空気すき間をなくし、ハウリングが完全に起きなくなるのである。この状態は長時間に及んでも変わらない。音が鮮明に鼓膜に伝わるのである。ポリエチレンラップは、できれば固めのものより薄くて柔らかなものを使用することである。ポリエチレンラップを補聴器に装着したとき耳殻からポリエチレンラップがはみ出さないよう、鏡で見たりしてうまく調整すること。ハウリング防止帯は、従来製品は、外耳道の前部のダブルチップ耳栓にあったが、本発明品は第２環状フランジ部の１４ｍｍある膨らみに置いた。外耳道入口付近が、外耳道で一番円形に近く、第２環状フランジ部も円形であるため、ハウリング防止に最適な箇所であると思っている。なお、第２環状フランジ部の高さは、８．５ｍｍくらいである。【０００７】［図２］従来製品（Ａ）と、当発明品（Ｂ）のハウリング防止帯の箇所【０００８】  ハウリング防止の働きをする第２環状フランジ部は［図６］で示されるような形を成し、シリコーンゴムでできている。その輪の膨らみは直径１４ｍｍあることは前にも述べた。この第２環状フランジ部が、外耳道入口付近でハウリングの防止の働きをする。成人の耳の外耳道の穴の大きさは、平均的な大人のサイズが、縦長径６．６ｍｍ、横短径４．５ｍｍであるといわれている。従って第２環状フランジ部は、空気すき間防止を充分満たしている。
【先行技術文献】
【特許文献】
【０００９】
【特許文献１】  特開２０１１−４９６２８号公報
【００１０】  ハウリング防止に関係する第１環状フランジ部と第２環状フランジ部を覆うポリエチレンラップについて述べてみる。ポリエチレンラップを直径４０．５ｍｍくらいの円形に近い形に切る。補聴器の音道口の穴（音孔口）と直結させるため、ポリエチレンラップの中央に穴を開ける必要がある。その際、ポリエチレンラップの中央あたりに油性マジックでポツンと小さな黒点をつけ、その上から３ｍｍくらいの四角か、丸く切ったセロテープを上から張りつける。セロテープを張るのは穴を開けやすくするためと、穴が裂けにくくするためである。穴を開けるとき、先ず縫い針で穴を開け、次につま楊枝で穴を開けるとよい。つま楊枝で穴を開けるときは、楊枝の先から４ｍｍくらい刺し込んで穴を開ける。丸形の穴ではなく、縦長に穴が開くがそれでよい。もし聞こえがよくなかったら、再度穴をつま楊枝で刺して調整すること。またマジックでつける黒点の大きさは１ｍｍくらいでよい。使用中とか、使用後耳の中に汗をかいて湿ったときなど、補聴器を取り出したときに、耳殻の中にポリエチレンラップを取り残してもすぐとれるので心配はない。このポリエチレンラップは、一度使用すると中央に凹凸が生ずるので、へこみがついたところが内側になる。またポリエチレンラップは長期間にわたって使用に耐える。もしポリエチレンラップに穴が別箇所に開いたときは、新しく取り替えればよい。また、ポリエチレンラップを補聴器に被せるとき、必ず音孔口とポリエチレンの穴を確実に合わせること。合っていないと聞こえが悪く、ハウリングが生ずる原因にもなるので要注意である。【００１１】［図８］（ヘ）第１環状フランジ部と第２環状フランジ部を覆うポリエチレンラップの件【００１２】  ハウリングには、いろいろな音がある。発明者本人が聞いた音には、ピーピーとかザワザワやファンファン、または銀紙を擦った音等がある。これらの音が入ってくると、聞こえは悪くなり、音がこもって聞こえるということで、参考に取りあげてみた次第である。【００１３】  次に（２）のイヤチップの２個の耳垢防止について述べる。当発明品での耳垢掃除は、２つの環状フランジ部が、ポリエチレンラップで覆われているので、ポリエチレンラップを補聴器本体から外して、それをウエットティシュか、除菌ウエットテシシュで拭けばよい。従って補聴器本体には耳垢がついていないので、いつもきれいに保たれている。補聴器の先の音孔のへこみに耳垢がつかないので故障も少ない。使用中に外耳道の耳垢掃除するときは、簡単にできるので、便利である。
【発明を実施するための形態】
本発明の実施について、具体的に図に基づいて説明する。
【００１４】［図３］（イ）は第１環状フランジ部で、シリコーンゴムで出来ているものである。笠の長さは直径８ｍｍ、高さは音道管を含めて先端から７ｍｍある。この大きさが第１環状フランジ部の基準となる。なお、笠の厚さは４ｍｍくらいである。正面図（左）と平面図（右）がそれである。
【００１５】［図４］（ロ）は、何も取りつけていない補聴器本体図である。
【００１６】［図５］（ハ）は、（ロ）の補聴器本体の音孔口から、（イ）のシリコーンゴム製の第１環状フランジ部となるイヤチップを被せたものである。
【００１７】［図６］（ニ）は、（ハ）のシリコーンゴムを被せた補聴器の上に被せようとするおわん型のシリコーンゴムのイヤチップである。そのイヤチップの直径は、１４ｍｍで笠の厚さは８．５ｍｍ、中軸の長さ（音導管）は７ｍｍある。第２環状フランジ部は、外耳道に接するので、軟質材料を使用する。また、イヤチップは接合したり、取り外したりするとき、引っ張ったり、伸ばしたりすることがあるので、この場合のイヤチップは、空間をつくり出さなければならないので、比較的耐久性のあるシリコーンゴムを使用したほうがよい。
【００１８】［図７］（ホ）は、（ハ）のシリコーンゴムを被せた補聴器本体の上から、（ニ）のおわん型のシリコーンゴムのイヤチップを被せたものである。
【００１９】［図８］（ヘ）は、（ト）の補聴器の上から被せるポリエチレンラップである。中央にセロテープを張り、その上から縫い針とつま楊枝で穴を開けてある。
【００２０】［図９］（ト）は、ポリエチレンラップを被せた完成品図である。
【発明による効果】
【００２１】  耳の聞こえが前からよくない発明者に、本発明は耳穴型補聴器のイヤチップの構造改善等により、普段の聞こえにハウリングが起きないので、聞こえに数段向上が見られた。長時間使用していても、全くといってハウリングが起きてない。以前は、ハウリングがよく起こり、その処置に手こずっていたが、今はそれがなくなった。実際、発明者本人が毎日自分で発明したイヤチップの補聴器をつけているが、前より性能が確実に良くなったと思っている。これにより、ハウリングは完全に追放したと言えるのではないか。そして商談や対人関係の話しがスムーズに進み、精神的にも気分が和らぐのである。また耳垢の掃除は、従来の製品は、ダブルチップ耳栓に耳垢がついてその掃除に手間取ったが、今は、ポリエチレンラップを２つのイヤチップに被せてあるので、その掃除はポリエチレンラップの表側を拭き取るだけで終わるので、簡単になった。
【符号の説明】
【００２２】１    第１環状フランジ部
２    第２環状フランジ部
３    音孔口
４    音導管
５    第１環状フランジ部取付部所
６    耳穴型補聴器
７    テグス
８    ポリエチレンラップ
９    ハウリング防止帯位置
１０  セロテープ（中央に丸か四角に切ったものを貼付ける）
１１  外耳道壁
【図１】
2016082553.tif 000003
【図２】
2016082553.tif 000004
【図３】
2016082553.tif 000005
【図４】
2016082553.tif 000006
【図５】
2016082553.tif 000007
【図６】
2016082553.tif 000008
【図７】
2016082553.tif 000009
【図８】
2016082553.tif 000010
【図９】
2016082553.tif 000011
【手続補正書】
【提出日】平成26年12月4日(2014.12.4)
【手続補正１】
【補正対象書類名】明細書
【補正対象項目名】全文
【補正方法】変更
【補正の内容】
【発明の詳細な説明】
【技術分野】
【０００１】  本発明は、耳穴型補聴器に用いる耳栓に関するものである。
【背景技術】
【０００２】  従来の耳穴型補聴器のイヤチップは、補聴器の音孔口先端に連立して繋がった２段式の笠型（これをダブルチップ耳栓と言っている）で、できているものがついていた。このダブルチップ耳栓は、ハウリングといって、補聴器の使用中に発生する要らざる雑音を防止するために装置されていた。この装置構造は、今も一般的なものとして受け継がれてきている。このダブルチップ耳栓は、外耳道と直接接触して、空気すき間を防ぎ、ハウリングを防いでいたのである。しかし、二重に空気すき間を防いでいた装置だったのに拘わらず、ハウリングを防げなかったようである。【０００３】  外耳道の形状が円に近い楕円であったものに、円形のダブルチップ耳栓で対処したことに、少々無理があったようである。後方の大きな笠型の空気すき間を、先端の小さな笠型で、防止していたのだが、そこははっきり円形のイヤチップゆえに、すき間は必ず生ずると思われる。そのようなわけで、ハウリングが起きたと推測されるのである。
【発明の概要】
【０００４】  補聴器の音が年々良くなってきたのに対し、その鍵を握るハウリング対策は遅々として進んでいない。いつもハウリング対策で苦慮しているありさまである。この辺で、ハウリングが起きないイヤチップを考えないといけないと思ってきた。従来製品のダブルチップ耳栓構造のイヤチップでは、ハウリング防止はできない。完全にハウリングが起きないイヤチップを作らねばと思った。
【発明が解決しようとする課題】
【０００５】（１）ハウリングが完全に起きない補聴器の付属部品イヤチップの構造を考えること。
（２）補聴器のイヤチップに耳垢がつかないようにすること。【０００６】  先ず、（１）の項目から詳細に述べる。従来の製品のダブルチップ耳栓のイヤチップは、外耳道と直接に接触するものであったが、当発明品は、２つのイヤチップを、直径４０．５ｍｍの円形に近いポリエチレンラップで、第１環状フランジ部と第２環状フランジ部を補聴器の音孔口からすっぽり覆うことで、外耳道と接触しない方法を採った。２つのイヤチップは、第１環状フランジ部と第２環状フランジ部から成るもので、この２つを接合したもので出来ている。第１環状フランジ部は、音道の働きをし、第２環状フランジ部は音道の働きの外にハウリング防止の働きをする。ポリエチレンラップは、ふだん家庭の台所で使用されているものを使った。そうするとこれら２つの環状フランジ部にポリエチレンラップがまとわりついて、更に空気すき間をなくし、ハウリングが完全に起きなくなるのである。この状態は長時間に及んでも変わらない。音が鮮明に鼓膜に伝わるのである。ポリエチレンラップは、できれば固めのものより薄くて柔らかなものを使用することである。ポリエチレンラップを補聴器に装着したとき耳殻からポリエチレンラップがはみ出さないよう、鏡で見たりしてうまく調整すること。ハウリング防止帯は、従来製品は、外耳道の前部のダブルチップ耳栓にあったが、本発明品は第２環状フランジ部の１４ｍｍある膨らみに置いた。外耳道入口付近が、外耳道で一番円形に近く、第２環状フランジ部も円形であるため、ハウリング防止に最適な箇所であると思っている。なお、第２環状フランジ部の高さは、８．５ｍｍくらいである。【０００７】［図２］従来製品（Ａ）と、当発明品（Ｂ）のハウリング防止帯の箇所【０００８】  ハウリング防止の働きをする第２環状フランジ部は［図６］で示されるような形を成し、シリコーンゴムでできている。その輪の膨らみは直径１４ｍｍあることは前にも述べた。この第２環状フランジ部が、外耳道入口付近でハウリングの防止の働きをする。成人の耳の外耳道の穴の大きさは、平均的な大人のサイズが、縦長径６．６ｍｍ、横短径４．５ｍｍであるといわれている。従って第２環状フランジ部は、空気すき間防止を充分満たしている。
【先行技術文献】
【特許文献】
【０００９】
【特許文献１】  特開２０１１−４９６２８号公報
【００１０】  ハウリング防止に関係する第１環状フランジ部と第２環状フランジ部を覆うポリエチレンラップについて述べてみる。ポリエチレンラップを直径４０．５ｍｍくらいの円形に近い形に切る。補聴器の音道口の穴（音孔口）と直結させるため、ポリエチレンラップの中央に穴を開ける必要がある。その際、ポリエチレンラップの中央あたりに油性マジックでポツンと小さな黒点をつけ、その上から３ｍｍくらいの四角か、丸く切ったセロテープを上から張りつける。セロテープを張るのは穴を開けやすくするためと、穴が裂けにくくするためである。穴を開けるとき、先ず縫い針で穴を開け、次につま楊枝で穴を開けるとよい。つま楊枝で穴を開けるときは、楊枝の先から４ｍｍくらい刺し込んで穴を開ける。丸形の穴ではなく、縦長に穴が開くがそれでよい。もし聞こえがよくなかったら、再度穴をつま楊枝で刺して調整すること。またマジックでつける黒点の大きさは１ｍｍくらいでよい。使用中とか、使用後耳の中に汗をかいて湿ったときなど、補聴器を取り出したときに、耳殻の中にポリエチレンラップを取り残してもすぐとれるので心配はない。このポリエチレンラップは、一度使用すると中央に凹凸が生ずるので、へこみがついたところが内側になる。またポリエチレンラップは長期間にわたって使用に耐える。もしポリエチレンラップに穴が別箇所に開いたときは、新しく取り替えればよい。また、ポリエチレンラップを補聴器に被せるとき、必ず音孔口とポリエチレンの穴を確実に合わせること。合っていないと聞こえが悪く、ハウリングが生ずる原因にもなるので要注意である。【００１１】［図８］（ヘ）第１環状フランジ部と第２環状フランジ部を覆うポリエチレンラップの件【００１２】  ハウリングには、いろいろな音がある。発明者本人が聞いた音には、ピーピーとかザワザワやファンファン、または銀紙を擦った音等がある。これらの音が入ってくると、聞こえは悪くなり、音がこもって聞こえるということで、参考に取りあげてみた次第である。【００１３】  次に（２）のイヤチップの２個の耳垢防止について述べる。当発明品での耳垢掃除は、２つの環状フランジ部が、ポリエチレンラップで覆われているので、ポリエチレンラップを補聴器本体から外して、それをウエットティシュか、除菌ウエットテシシュで拭けばよい。従って補聴器本体には耳垢がついていないので、いつもきれいに保たれている。補聴器の先の音孔のへこみに耳垢がつかないので故障も少ない。使用中に外耳道の耳垢掃除するときは、簡単にできるので、便利である。
【発明を実施するための形態】
本発明の実施について、具体的に図に基づいて説明する。
【００１４】［図３］（イ）は第１環状フランジ部で、シリコーンゴムで出来ているものである。笠の長さは直径８ｍｍ、高さは音道管を含めて先端から７ｍｍある。この大きさが第１環状フランジ部の基準となる。なお、笠の厚さは４ｍｍくらいである。正面図（左）と平面図（右）がそれである。
【００１５】［図４］（ロ）は、何も取りつけていない補聴器本体図である。
【００１６】［図５］（ハ）は、（ロ）の補聴器本体の音孔口から、（イ）のシリコーンゴム製の第１環状フランジ部となるイヤチップを被せたものである。
【００１７】［図６］（ニ）は、（ハ）のシリコーンゴムを被せた補聴器の上に被せようとするおわん型のシリコーンゴムのイヤチップである。そのイヤチップの直径は、１４ｍｍで笠の厚さは８．５ｍｍ、中軸の長さ（音導管）は７ｍｍある。第２環状フランジ部は、外耳道に接するので、軟質材料を使用する。また、イヤチップは接合したり、取り外したりするとき、引っ張ったり、伸ばしたりすることがあるので、この場合のイヤチップは、空間をつくり出さなければならないので、比較的耐久性のあるシリコーンゴムを使用したほうがよい。
【００１８】［図７］（ホ）は、（ハ）のシリコーンゴムを被せた補聴器本体の上から、（ニ）のおわん型のシリコーンゴムのイヤチップを被せたものである。
【００１９】［図８］（ヘ）は、（ト）の補聴器の上から被せるポリエチレンラップである。中央にセロテープを張り、その上から縫い針とつま楊枝で穴を開けてある。
【００２０】［図９］（ト）は、ポリエチレンラップを被せた完成品図である。
【発明による効果】
【００２１】  耳の聞こえが前からよくない発明者に、本発明は耳穴型補聴器のイヤチップの構造改善等により、普段の聞こえにハウリングが起きないので、聞こえに数段向上が見られた。長時間使用していても、全くといってハウリングが起きてない。以前は、ハウリングがよく起こり、その処置に手こずっていたが、今はそれがなくなった。実際、発明者本人が毎日自分で発明したイヤチップの補聴器をつけているが、前より性能が確実に良くなったと思っている。これにより、ハウリングは完全に追放したと言えるのではないか。そして商談や対人関係の話しがスムーズに進み、精神的にも気分が和らぐのである。また耳垢の掃除は、従来の製品は、ダブルチップ耳栓に耳垢がついてその掃除に手間取ったが、今は、ポリエチレンラップを２つのイヤチップに被せてあるので、その掃除はポリエチレンラップの表側を拭き取るだけで終わるので、簡単になった。
【図面の簡単な説明】
【００２２】
【図１】第１環状フランジ部イヤチップと、第２環状フランジ部イヤチップの接合断面図である。
【図２】従来製品（Ａ）と、発明品（Ｂ）のハウリング防止帯を表示した側面図である。（帯線表示がそれである。）
【図３】第１環状フランジ部のイヤチップの形態を示す。左が正面図で、右が平面図。
【図４】補聴器本体の図である。（側面図）
【図５】補聴器本体に、第１環状フランジ部のイヤチップを被せた図。（側面図）
【図６】第２環状フランジ部のイヤチップの斜視図である。この第２環状フランジ部のイヤチップは、ハウリング防止に重要な役目を果している。外耳道入口付近で、空気すき間をしっかり防いでいる。
【図７】［図５］の補聴器本体の上から、［図６］の第２環状フランジ部のイヤチップを被せた図である。（側面図）
【図８】サランラップを円形に切り取った図。（平面図）中央に補聴器の音孔口と繋がる穴を開けてある。このサランラップは、［図６］の第２環状フランジ部のイヤチップと共に、ハウリング防止を更に高める重要な役目を担っている。サランラップは、硬軟２種あるが、できれば軟質の膜の薄い方を使用すること。その効果は極めて大きい。
【図９】［図７］の図絵に、［図８］のサランラップを被せて完成品となった図である。（側面図）
【符号の説明】
【００２３】  １  第１環状フランジ部
２  第２環状フランジ部
３  音孔口
４  音導管
５  第１環状フランジ部取付部所
６  耳穴型補聴器
７  テグス
８  ポリエチレンラップ
９  ハウリング防止帯位置
１０  セロテープ（中央に丸か四角に切ったものを貼付ける）
１１  外耳道壁